(57)【特許請求の範囲】
【請求項１】
採血すべき患者の個別情報に基づいて、患者の検査に必要な採血管を自動的に選択し、その採血管に患者に関する情報を印字したラベルを自動的に貼り付け、患者毎にトレイに収容するように構成された採血管自動準備システムと、
前記採血管自動準備システムで準備した採血管を使用して採血作業者が採血を行うための採血台であって、採血台への患者の呼出情報を出力する呼出ボタン、採血台へ呼び出した患者が不在であることを示す不在者情報を出力する不在ボタン、採血作業終了情報を出力する終了ボタン及び採血作業者に採血に関する情報を表示する採血作業者用表示装置を備えた採血台と、
採血すべき患者の待機場所に設置される患者用表示装置と
制御装置と
を備え、
前記制御装置が、
前記採血管自動準備システムで採血管を準備するために使用した個別情報の数と、前記採血台の終了ボタンによって出力される採血作業終了情報とに基づいて、採血を待っている患者の患者待ち人数を算出し、前記患者待ち人数を前記採血作業者用表示装置に表示させ、
呼出ボタンから呼出情報が出力された時に該呼出情報を採血作業者用表示装置及び患者用表示装置に表示させ、かつ、
不在ボタンから不在者情報が出力された時に、該不在者情報を前記採血作業者用表示装置及び患者用表示装置に表示させる
ように構成されている
ことを特徴とする採血作業準備システム。
【請求項２】
前記採血管自動準備システムが、前記患者の受付整理番号をバーコードの形態で印字した採血指示書を発行し、発行した採血指示書を対応する患者のトレイに収容するように構成され、
前記採血台が前記採血指示書に印字されたバーコードを読み取るためのバーコードリーダを備え、
前記制御装置が、前記バーコードリーダで読み取った受付整理番号を呼出情報又は不在者情報として前記採血作業者用表示装置及び患者用表示装置に表示させるように構成されている
ことを特徴とする請求項１に記載の採血作業準備システム。
【発明の詳細な説明】
【０００１】
【発明の属する技術分野】
本発明は、患者から血液を採取する採血作業の効率化を図るための採血作業準備システムに関する。
【０００２】
【従来の技術】
従来から、検査のために患者から血液を採取する採血作業は、各病院で日々行われている。
検査のために必要な検査項目は医師が決定し、その検査項目に必要な採血管を用いて行う採血作業は、看護婦等の採血作業者が行うが、通常、採血項目を決定する医師の場所と採血作業を実際に行う採血場は離れているため採血作業者は、どの程度の人数の患者に対して採血作業を行わなければいけないかが分からないのが現状である。
【０００３】
【発明が解決しようとする課題】
しかし、上記したように、採血作業者が採血を必要とする患者の数を把握していないと、採血作業者の人数を患者数に適した人数に合わせることが困難なため、患者数が多いにも拘わらず採血作業者の人数が足りずに採血作業を遅延させたり、患者数が少ないにも拘わらず多くの採血作業者が待機していて無駄な人件費を病院が負担しなければならない等、多くの問題が生じる。
また、採血作業者が残りの患者数が多いのか少ないのかが分からないと、全ての患者に対する採血を時間内に終了させるために、採血作業者は、常に残りの患者数が多いことを前提に採血作業を進めなければならなくなるので、精神的なゆとりが持てなくなり、採血作業者に与える精神的負担が大きくなる。
本発明は、上記した従来の問題点を解決し、採血作業者の精神的負担を軽減し、採血作業の遅延や無駄な人件費の発生等を防止することができる採血作業準備システムを提供することを目的としている。
【０００４】
【課題を解決するための手段】
上記した目的を達成するために、本発明に係る採血作業準備システムは、採血すべき患者の個別情報に基づいて、患者の検査に必要な採血管を自動的に選択し、その採血管に患者に関する情報を印字したラベルを自動的に貼り付け、患者毎にトレイに収容するように構成された採血管自動準備システムと、前記採血管自動準備システムで準備した採血管を使用して採血作業者が採血を行うための採血台であって、採血台への患者の呼出情報を出力する呼出ボタン、採血台へ呼び出した患者が不在であることを示す不在者情報を出力する不在ボタン、採血作業終了情報を出力する終了ボタン及び採血作業者に採血に関する情報を表示する採血作業者用表示装置を備えた採血台と、採血すべき患者の待機場所に設置される患者用表示装置と制御装置とを備え、前記制御装置が、前記採血管自動準備システムで採血管を準備するために使用した個別情報の数と、前記採血台の終了ボタンによって出力される採血作業終了情報とに基づいて、採血を待っている患者の患者待ち人数を算出し、前記患者待ち人数を前記採血作業者用表示装置に表示させ、呼出ボタンから呼出情報が出力された時に該呼出情報を採血作業者用表示装置及び患者用表示装置に表示させ、かつ、不在ボタンから不在者情報が出力された時に、該不在者情報を前記採血作業者用表示装置及び患者用表示装置に表示させるように構成されていることを特徴とするものである。
【０００５】
【発明の実施の形態】
以下、添付図面に示す一実施例を参照しながら本発明に係る採血作業準備システムの実施の形態について説明していく。
図１〜図４は、本発明に係る採血作業準備システムの一実施例を示している。
図１は採血作業準備システムの概略上面図、図２は同システムの概略正面図、図３は同システムにおける搬送機能付き採血台の概略側面図、及び図４は同システムにおけるデータの流れ図を各々示している。
【０００６】
（採血作業準備システムの説明）
図面に示すように、この採血作業準備システムは、
個々の患者が所有するＩＤカードから各患者に与えられたＩＤ番号を読み込むカードリーダＡ、
患者のＩＤ番号や患者の氏名及び生年月日等の患者の個人情報と、患者に必要な検査の種類等に関する採血情報とを相互に対応付けして記憶しているホストコンピュータＢ、
採血が必要な患者に対して採血の順番に関する整理番号が記載された整理券を発行する整理券発行機Ｃ、
患者の検査に必要な採血管の準備処理を行う採血管自動準備システムＤ、
採血作業者の呼び出し指示に応じて、採血管自動準備システムで準備された採血前トレイを前記準備システムから採血作業者の搬送機能付き採血台まで搬送すると共に、各採血前トレイに対応する個々の採血患者に関する情報（例えば、患者の個人情報、採血情報、及び整理番号）と採血を待つ患者の待ち人数とを採血作業者に表示する搬送機能付き採血台Ｅ、
前記搬送機能付き採血台Ｅにおいて、ラベルの再発行指示が発せられた時に、ラベルを再発行するラベル発行装置Ｇ、及び
前記ホストコンピュータから得られる情報に基づいて、整理券発行機Ｃ、採血管自動準備システムＤ、搬送機能付き採血台Ｅ、及びラベル発行装置Ｇを制御する制御装置Ｆ
を備えている。
【０００７】
（採血管ラベル自動貼付システムの説明）
前記採血管自動準備システムは、
患者に必要な採血管を選択し、その採血管に患者に関する情報を印字したラベルを貼り付けて搬出する採血管用ラベル自動貼付装置Ｄ１と、
必要に応じて、前記採血管用ラベル自動貼付装置Ｄ１でラベル貼付処理ができない採血管に貼り付けるべき手張りラベルを発行する手張りラベル発行装置Ｄ２と、
ラベル貼付後の採血管と、必要に応じて発行される手張りラベルとを患者毎にトレーに収容させる採血管収容装置Ｄ３と
を備えている。
・採血管用ラベル自動貼付装置Ｄ１の説明
前記採血管用ラベル自動貼付装置Ｄ１は、
採血管を収容する複数の採血管収容部と、
患者の採血情報に基づいて患者の採血に必要な採血管を前記複数の採血管収容部から選択して取り出し、ラベル印字・貼付手段まで移送する移送手段と、
前記移送手段により移送されてきた採血管に対応する患者に関する情報をラベルに印字し、印字済みのラベルを採血管に貼り付けるラベル印字・貼付手段と、
ラベル貼付後の試験管を装置の外部に搬出する搬出手段とを
備えており、
前記制御装置からの情報に基づいて、患者に必要な採血管を選択し、その採血管に患者に関する情報を印字したラベルを貼り付けて搬出する。
・手張りラベル発行装置Ｄ２の説明
手張りラベル発行装置Ｄ２は、前記採血管用ラベル自動貼付装置Ｄ１でラベル貼付処理ができない採血管がある場合等に、前記制御装置からの情報に基づいて、その採血管に貼り付けるべき手張りラベルを発行する。
また、この手張りラベル発行装置Ｄ２は、後述する搬送機能付き採血台Ｅにおける表示装置Ｅ５の故障時等に、必要に応じて、表示装置Ｅ５に表示すべき内容の一部又は全部を印字した採血指示書を発行するように構成され得る。
・採血管収容装置Ｄ３の説明
採血管収容装置Ｄ３は、空トレイ用コンベアＤ３１と採血前トレイ用コンベアＤ３２とを備えており、空トレイ用コンベアＤ３１の下流端部が採血管用ラベル自動貼付装置Ｄ１の搬出口に隣接するように設置されている。
また、この採血管収容装置Ｄ３上には、前記手張りラベル発行装置Ｄ２が、空トレイ用コンベアＤ３１の下流端部に位置する空トレイ内に手張りラベルを発行するように置かれており、これにより、空トレイ用コンベアＤ３１の下流端部に位置する空トレイ内に、ラベル貼付後の採血管及び必要に応じて手張りラベルが入れられる。
また、採血管収容装置Ｄ３は、その空トレイ用コンベアＤ３１の下流部分に、空トレイ用コンベアＤ３１から採血前トレイ用コンベアＤ３２の上流部分にトレイを押し出すトレイ押出手段（図示せず）が設けられており、さらに、その採血前トレイ用コンベアＤ３２の下流部分には、採血作業者の呼出指示に応じて採血前トレイを一つづつ解放することができる採血前トレイ維持手段（図示せず）が設けられている。
上記したように構成された採血管収容装置Ｄ３は、空トレイ用コンベアにより、その下流部分に空トレイが移送され、下流部分に位置する空トレイに、一人分の採血管及び必要に応じて手張りラベルが全て入ると、前記トレイ押出手段で、そのトレイ（採血前トレイ）を空トレイ用コンベアＤ３１から採血前トレイ用コンベアＤ３２の上流部分に押し出すと共に、空トレイ用コンベアＤ３１は次の空トレイを、その下流部分まで移送する。採血前トレイ用コンベアＤ３２に押し出された採血前トレイは、採血前トレイ用コンベアＤ３２の下流部分にまで前記コンベアＤ３２で移送される。
【０００８】
（搬送機能付き採血台Ｅの説明）
搬送機能付き採血台Ｅは、本実施例では３台設置されており、
各搬送機能付き採血台Ｅは、
その上で採血作業を行う採血場としての採血板Ｅ１と、
前記採血板Ｅ１の下方で、搬送機能付き採血台Ｅの上流端から下流端に掛けて掛け渡された２本の並行な供給コンベアＥ２及び回収コンベアＥ３と、
前記供給コンベアＥ２から採血作業者側にあるトレイ取出台Ｅ４へ採血前トレイを取り出すトレイ取出手段（図示せず）と、
採血作業者側に取り出されるべき採血前トレイに対応する患者に関する情報を表示する表示装置Ｅ５と、
採血の順番を待っている患者を呼び出すために採血の整理番号を表示する整理番号表示装置Ｅ６と
を備え、
前記採血管収容装置Ｄ３１における採血前トレイ用コンベアＤ３２と、各採血台Ｅの供給コンベアＥ２とが直線上に連続し、かつ、
前記採血管収容装置Ｄ３１における空トレイ用コンベアＤ３２と、各採血台Ｅの回収コンベアＥ３とが直線上に連続するように並設されている。
図５は、表示装置Ｅ５の表示内容の一例を示しており、この図に示すように、表示装置Ｅ５には、患者氏名、患者番号、整理番号及び患者待ち人数が情報として表示され、採血前トレイ呼出ボタン、ラベル再発行ボタン、不在ボタン及び終了ボタンがスイッチとして表示され、さらに、不在者情報（不在者氏名並びに整理番号）、採血内容情報、及び手張りラベル情報が情報とスイッチとを兼ねて表示され得る。
【０００９】
（採血作業準備システム全体の作用説明）
次に、採血作業準備システム全体の作用について説明していく。
患者のＩＤカードをカードリーダＡに通し、カードリーダＡで患者のＩＤ番号を読み取ると、カードリーダＡからＩＤ番号がホストコンピュータＢに送られる。
ホストコンピュータＢは、患者のＩＤ番号や患者の氏名等の個人情報、及び患者に必要な採血に関する採血情報を相互に対応付けして記憶しており、カードリーダからＩＤ番号が送られてくると、そのＩＤ番号に対応する患者が採血検査を必要としているか否かを判断し、ＩＤ番号に対応する患者が採血検査を必要としている場合、制御装置Ｆに、患者のＩＤ番号を含む患者の個人情報及びその患者の採血情報（以下、これらの情報を個別情報と称する。）を送る。
前記制御装置Ｆは、ホストコンピュータＢから個別情報が送られてくる毎に、その個別情報に整理番号を付与し、整理券発行機Ｃに前記整理番号を印字した整理券を発行させる。また、制御装置Ｆは、同時に、採血管自動準備システムＤに、個別情報及び整理番号を送信し、採血管自動準備システムＤで、その個別情報に対応する患者の採血前トレイの準備をさせ、個別情報及び整理番号を、採血管自動準備システムＤに送信した順に記憶しておく。「採血前トレイ」とは、前記したように、患者の検査に必要なラベル貼付後の採血管及び必要に応じて手張りラベルを患者毎に収容したトレイで、この採血前トレイは、採血管準備システムＤにおける採血前トレイ用コンベアＤ３２上で待機させられる。さらに制御装置Ｆは、ホストコンピュータＢから送られてくる個別情報の数と、搬送機能付き採血台Ｅの表示装置Ｅ５から送られてくる採血作業終了情報とに基づいて、採血を待っている患者の人数（以下、「患者待ち人数」と称する。）を算出し、この患者待ち人数情報を、各採血台Ｅの表示装置Ｅ５に表示させる。また、制御装置Ｆは、前記患者待ち人数に、予め設定した一人当たりの処理時間を乗算して、採血の待ち時間を算出し、その待ち時間を前記患者待ち人数と共に表示装置Ｅ５に表示させるようにも構成され得る。
搬送機能付き採血台Ｅにおいて、採血作業者が、その表示装置Ｅ５の採血前トレイ呼出ボタンを押すと、制御装置Ｆは、採血前トレイ用コンベアＤ３２におけるトレイ維持手段を作動させて、該コンベアＤ３２上で待機している採血前トレイの先頭に位置する採血前トレイを解放させると共に、その採血前トレイに対応する患者の個別情報及び整理番号を呼出ボタンを押した表示装置Ｅ５に送信し、かつ、整理番号を呼出ボタンが押された採血台Ｅにおける整理番号表示装置Ｅ６に送信し、これにより、表示装置Ｅ５に個別情報及び整理番号を表示させると共に、整理番号表示装置Ｅ６に整理番号を表示させる。また、制御装置Ｆは、採血前トレイ用コンベアＤ３２と、該採血前トレイ用コンベアＤ３２から呼出ボタンを押した採血台Ｅ迄の採血前トレイ移送経路上にある供給コンベアＥ２と、呼出ボタンを押した採血台Ｅのトレイ取出手段とを作動させて、解放された採血前トレイを呼出ボタンを押した採血台Ｅにおけるトレイ取出台Ｅ４まで移送する。
上記したように、採血作業者が、表示装置Ｅ５の呼出ボタンを押すと、その採血作業者の採血台Ｅへの採血前トレイの移送が開始されると同時に、移送されてくる採血前トレイに対応する患者の個別情報及び整理番号が表示装置Ｅ５に表示されるので、採血作業者は、採血前トレイが手元に届く迄の時間を利用して、予め、前記個別情報及び整理番号に基づいて、これから行う採血に必要な準備（例えば、手張りラベルがある場合には、その手張りラベルに対応する試験管の準備等）を行うことができるようになり、また、採血前トレイの移送開始と同時に、移送されてくる採血前トレイに対応する患者の整理番号が整理番号表示装置Ｅ６に表示されるので、採血前トレイが手元に届く迄の時間を利用して患者の呼出を行うことができるようになる。
これにより、採血前トレイが手元に届くと直ぐに実際の採血作業を開始することができるようになるので、前処理を含む採血作業全体の処理時間を効率良く短縮化することができるようになり、上記した前処理や確認処理を慌てて行う必要がなくなるので、精神的及び時間的なゆとりを持って採血作業を行うことができるようになり、より安全な採血作業を行うことができるようになる。
採血作業者が、患者に対する採血作業を終了し、表示装置Ｅ５の「終了ボタン」を押すと、制御装置Ｆは、表示装置Ｅ５に表示させている「患者待ち人数」を一人分減算する。
そして、採血作業者が、再び、表示装置Ｅ５の「呼出ボタン」を押すと再び上述の処理が繰り返される。
尚、制御装置Ｆは、ホストコンピュータＢから個別情報が送られてくる度に、前記「患者待ち人数」を一人分増やす。
このように、採血作業者が「患者待ち人数」をリアルタイムで確認することができるようにすることで、採血を待つ患者の人数に合わせて採血作業者の増減を適切に行うことができるので、必要最低限の人数で採血作業をよりスムーズに進めることが可能になり、採血作業の安全性が高まり、また、人件費も低減することができ、さらに、採血作業者の休憩等を効率よく行うことができるようになるので採血作業者に対する負担も軽減することができるようになる。
また、整理番号表示装置Ｅ６に整理番号が表示されているにも拘わらず、該当する患者が採血台まで来ない場合等に採血作業者が表示装置Ｅ５の「不在ボタン」を押すと、制御装置Ｆは、その採血患者に関する情報を不在者情報として記憶すると共に、表示装置Ｅ５に「不在者氏名及び不在者整理番号」を表示させ、採血作業者が再度、この「不在者氏名及び不在者整理番号」を押すと、表示装置Ｅ５に、その採血患者に関する情報を表示させると共に、整理番号表示装置Ｅ６に対応する整理番号を表示させる。
さらに、採血作業者が手張りラベルを貼り損なったり、何らかの理由でラベル貼付後の採血管が使用できなくなったりした場合等に、採血作業者が表示装置Ｅ５の「再発行ボタン」と「採血内容及び／又は手張り情報」の中の必要な項目（例えば、図示実施例では、「生化」「血液」「血糖」「凝固」「免疫」）のボタン）を押すと、制御装置Ｆは、ラベル再発行装置Ｇに、その患者に対応するラベルを再度発行させる。図示実施例では、ラベル再発行装置Ｇは、３台の採血台Ｅの後方に１台設置されているが、これは、本実施例に限定されるものではなく、例えば、各採血台毎に設けてもよく、また、システム全体の設置の仕方に応じて、採血管自動準備システムＤにおける手張りラベル発行装置Ｄ２を前記ラベル再発行装置Ｇとして使用してもよい。
また、この採血作業準備システムを導入している施設が、採血患者の待機場所を採血台のある採血室内と、採血室外とに分けている場合には、採血室外の待機場所に別途外待ちディスプレイを設け、その外待ちディスプレイに、図６に示すように、採血室内に入るべき採血患者の整理番号を表示させて、採血室内の待機患者数をコントロールすることができる。また、この場合には、図６に示すように、外待ちディスプレイに不在者整理番号を表示し、採血処理をより促進することができる。また、このように外待ちディスプレイに不在者整理番号を表示する場合、各採血台に採血台番号を明示しておき、不在者用の採血前トレイを持っている採血台の採血台番号も合わせて表示するように構成してもよい。
【００１０】
以上説明した実施例では、各表示装置Ｅ６に「患者待ち人数」を表示するように構成しているが、これは本実施例に限定されることなく、採血作業者若しくは患者の何れか一方又は両方が視認することができる位置に「患者待ち人数」を表示できるように構成されていれば任意の位置に表示させてよく、例えば、整理番号表示装置の採血作業者側に表示させてもよく、また、全ての採血作業者及び／又は患者が視認することができる位置に「患者待ち人数」を表示する表示装置を設けてもよく、どの場合でも、「患者待ち人数」と共に、「採血待ち時間」を表示するように構成され得る。
また、採血作業準備システムの全体構成や、採血作業準備システムにおけるカートリーダ、ホストコンピュータ、整理券発行機、採血管自動準備システム、及び搬送機能付き採血台等の各要素の構成は、本実施例に限定されることなく、任意の構成でよく、
例えば、本実施例では、表示装置Ｅ５に、「呼出ボタン」等の各種ボタンを表示させているが、これは本実施例に限定されることなく、表示装置Ｅ５とは別にボタンを設けてもよく、
また、表示装置Ｅ５に表示されている情報の内容は、本実施例に限定されることなく、採血作業者が、採血前トレイが手元に来る前に、必要な採血処理の準備及び／又は患者の確認を行うことができる個々の採血患者に関する情報であれば任意の情報でよく、
また、本実施例では、「呼出ボタン」を押すと同時に、制御装置Ｆで、整理番号表示装置Ｅ６に、整理番号を表示させるように構成しているが、これは、本実施例に限定されることなく、例えば、各採血台Ｅに、バーコードリーダを設け、採血指示書に整理番号をバーコードで印字させ、採血前トレイが手元に届いた時点で、採血指示書のバーコードをバーコードリーダーで読ませて整理番号表示装置Ｅ６に整理番号を表示させるように構成してもよく、
また、採血作業者が表示装置Ｅ５に表示された整理番号又は採血指示書に表示された整理番号を見て、キーボード等で整理番号を入力した時点で、整理番号表示装置Ｅ６に整理番号を表示させてもよく、
さらに、本実施例では、各採血台に整理番号表示装置Ｅ６を設けているが、これは本実施例に限定されることなく、例えば、各採血台Ｅに採血台番号を明示しておき、一つの整理番号表示装置に、整理番号とそれに対応する採血台番号を表示するように構成してもよく、
また、本実施例では、患者のＩＤ番号や患者の氏名等を含む患者の個人情報と患者に必要な採血に関する採血情報とをホストコンピュータが記憶しているが、この構成は本実施例に限定されることなく任意の構成でよく、例えば、制御装置が全ての情報を記憶しておき、カートリーダＡを制御装置に直接接続してもよい。
また、本実施例では、ホストコンピュータと制御装置とをオンラインで接続しているが、これは本実施例に限定されることなく、例えば、制御装置に入力装置を設け、ホストコンピュータからの情報を文字、バーコード、又はマークシート等で印字したカルテ等の情報伝達用紙や、ホストコンピュータからの情報を記憶したＩＣカード等に基づいて、これらの情報を制御装置に入力するように構成してもよい。
さらにまた、本実施例では、カートリーダＡにより患者のＩＤ番号を読み取り、このＩＤ番号に基づいて患者の個別情報の処理を行っているが、これは本実施例に限定されることなく、例えば、人間がＩＤ番号を入力するように構成してもよく、また、ＩＤ番号以外の同等の代用情報、例えば、指紋や虹彩等で患者個人を識別するように構成してもよい。
また、本実施例では、供給コンベアが患者側に位置し、回収コンベアが採血作業者側に位置し、採血作業者側にトレイ取出台を設け、供給コンベアからトレイ取出台まで採血前トレイを取り出すトレイ取出手段を備えた採血台Ｅを例に挙げて説明しているが、採血台Ｅの構成は、本実施例に限定されることなく、呼出ボタンを備え、その呼出ボタンからの呼出情報に応じて採血前トレイを対応する採血台まで移送してくるように構成されている採血台であれば任意の構成でよく、例えば、供給コンベア自体を間欠動作させるように構成していてもよい。
【００１１】
【発明の効果】
以上説明したように、本発明に係る採血作業準備システムは、採血すべき患者の個別情報に基づいて、患者の検査に必要な採血管を自動的に選択し、その採血管に患者に関する情報を印字したラベルを自動的に貼り付け、患者毎にトレイに収容するように構成された採血管自動準備システムと、前記採血管自動準備システムで準備した採血管を使用して採血作業者が採血を行うための採血台であって、採血台への患者の呼出情報を出力する呼出ボタン、採血台へ呼び出した患者が不在であることを示す不在者情報を出力する不在ボタン、採血作業終了情報を出力する終了ボタン及び採血作業者に採血に関する情報を表示する採血作業者用表示装置を備えた採血台と、採血すべき患者の待機場所に設置される患者用表示装置と制御装置とを備え、前記制御装置が、前記採血管自動準備システムで採血管を準備するために使用した個別情報の数と、前記採血台の終了ボタンによって出力される採血作業終了情報とに基づいて、採血を待っている患者の患者待ち人数を算出し、前記患者待ち人数を前記採血作業者用表示装置に表示させ、呼出ボタンから呼出情報が出力された時に該呼出情報を採血作業者用表示装置及び患者用表示装置に表示させ、かつ、不在ボタンから不在者情報が出力された時に、該不在者情報を前記採血作業者用表示装置及び患者用表示装置に表示させるように構成されているので、患者の待ち人数に応じた適当な人数の採血作業者で採血作業を行うことが可能になり、採血作業者の不足による採血作業の遅延や、採血作業者の無駄な待ち時間等をなくすことが可能になり、採血処理の効率化と共に、採血処理に係るコストの低減を図ることもできるようになる。
また、不在時には採血すべき患者の待機場所に設置される患者用表示装置に不在者情報が表示されるように構成されているので、不在の間に呼び出されることを心配してトイレに行ったり、電話をかけに行ったりすることができない等の患者側のストレスを無くすことができる。
【図面の簡単な説明】
【図１】  採血作業準備システムの概略上面図である。
【図２】  同システムにおける一部を省略した概略正面図である。
【図３】  同システムにおける搬送機能付き採血台の概略側面図である。
【図４】  同システムにおけるデータの流れ図である。
【図５】  表示装置の一例を示す図である。
【図６】  外待ちディスプレイの一例を示す図である。
【符号の説明】
Ａ  カートリーダ
Ｂ  ホストコンピュータ
Ｃ  整理券発行機
Ｄ  採血管自動準備システム
Ｄ１  採血管用ラベル自動貼付装置
Ｄ２  採血指示書発行装置
Ｄ３  採血管収容装置
Ｄ３１  空トレイ用コンベア
Ｄ３２  採血前トレイ用コンベア
Ｅ  搬送機能付き採血台
Ｅ１  採血板
Ｅ２  供給コンベア
Ｅ３  回収コンベア
Ｅ４  トレイ取出台
Ｅ５  表示装置
Ｅ６  整理番号表示装置
Ｆ  制御装置
【図１】
0004469440.tif 000002
【図２】
0004469440.tif 000003
【図３】
0004469440.tif 000004
【図４】
0004469440.tif 000005
【図５】
0004469440.tif 000006
【図６】
0004469440.tif 000007